(57)【要約】【課題】図柄の演出表示に対する遊技者の興味を長く持続させることにより、遊技機の稼働率向上を図る。【解決手段】図柄表示制御手段は、リールの回転中に操作入力装置の操作状態が第１の状態から第２の状態へ変化した場合、その変化時のリールの回転速度と前記図柄の変動時間の残り時間とリールの位置との関係に応じた減速度によりリールの回転速度を漸減させる。リールは当否抽選の結果に応じて決められた停止図柄に対応する図柄にて最終的に停止表示される。【選択図】図３
2013138791.tif 000002
【特許請求の範囲】
【請求項１】
遊技領域が形成された遊技盤と、
前記遊技領域の所定位置に設けられ、遊技球の入球が当否抽選の契機となる始動口と、
前記始動口への入球を契機として前記当否抽選を実行する当否抽選手段と、
外周に沿って複数の図柄が配置された複数列のリールを有し、その複数列のリールの各々が回転駆動されることにより図柄が変動表示された後、その複数列のリールが停止されたときの図柄組合せにより前記当否抽選の結果を示す図柄表示装置と、
前記リールの回転速度を変化させる指示として遊技者の操作入力を受け付ける操作入力装置と、
前記図柄の変動時間が定められた変動パターンを決定する変動パターン決定手段と、
前記当否抽選の結果を示す前記図柄組合せを選択する停止図柄決定手段と、
前記複数列のリールの回転駆動を制御することにより、決定された変動パターンにて前記図柄を変動表示させた後、選択された図柄組合せで前記図柄を停止表示させる図柄表示制御手段と、
前記当否抽選の結果が、通常遊技より遊技者に有利な状態となる特別遊技への移行を示す結果となり、前記図柄が前記特別遊技への移行を示す図柄組合せで停止表示された場合に、前記特別遊技を実行する特別遊技制御手段と、を備え、
前記図柄表示制御手段は、前記リールの回転中に前記操作入力装置の操作状態が第１の状態から第２の状態へ変化した場合、その変化時の前記リールの回転速度と前記図柄の変動時間の残り時間と前記リールの位置との関係に応じた減速度により前記リールの回転速度を漸減させることを特徴とする弾球遊技機。
【請求項２】
前記図柄表示制御手段は、前記操作入力装置の操作状態が前記第１の状態である間は前記リールの回転速度を加速し、前記第１の状態から前記第２の状態へ変化したときに減速に切り換えることを特徴とする請求項１に記載の弾球遊技機。
【請求項３】
前記図柄表示制御手段は、前記操作入力装置の操作状態が前記第１の状態である間は前記リールの回転速度を減速し、前記第１の状態から前記第２の状態へ変化したときに加速に切り換えることを特徴とする請求項１に記載の弾球遊技機。
【請求項４】
前記図柄表示制御手段は、前記操作状態が前記第１の状態から前記第２の状態へ変化した場合、前記リールの回転速度を漸減して１回転以上回転させてから前記リールを停止させることを特徴とする請求項１〜３のいずれかに記載の弾球遊技機。
【発明の詳細な説明】
【技術分野】
【０００１】
遊技球が発射される遊技領域を備えた弾球遊技機に関する。
【背景技術】
【０００２】
従来、各種の弾球遊技機のうち、いわゆる第１種ぱちんこ遊技機と呼ばれていた遊技機は、遊技盤の略中央に設けられた表示装置の表示領域に複数の図柄を変動させながら表示する（以下、そうした表示を「図柄変動」または「変動表示」等という）。この遊技機は、複数列の図柄変動を停止させたときの図柄組合せが特定の態様となった場合に、通常遊技より多くの賞球が得られる、いわゆる大当りと呼ばれる特別遊技へと移行するものとして知られている。近年ではそのような複数列の図柄変動を表示させるための表示装置として液晶ディスプレイで構成されるものが主流となっているが、ドラム回転式などの機械的表示手段により構成されるものも存在する（例えば、特許文献１参照）。表示領域における図柄の変動表示は、単に複数の図柄が変動表示されるだけでなく、いわゆるリーチ画面と呼ばれる状態のように、あと一つ図柄が揃えば大当りとなる状態で変動表示の時間を通常よりも長くする等、遊技者の期待感を高めるための演出が図られている。また、特別遊技への移行効率を高める確率変動および変動時間短縮、始動入賞口への入球容易性を高める入球容易状態へ移行したりする制御によっても遊技者の期待感を高めている。
【先行技術文献】
【特許文献】
【０００３】
【特許文献１】特開２００６−２６４４９号公報
【発明の概要】
【発明が解決しようとする課題】
【０００４】
しかし、特に機械的表示手段により図柄変動を表示させる場合、表示される内容はドラムなどに当初から形成されている装飾図柄に限られる。そのため、表示される内容のバリエーションが比較的少ない場合、遊技者の演出に対する興味が続かない可能性があった。
【０００５】
本願発明は上記課題に鑑みたもので、その目的は、図柄の演出表示に対する遊技者の興味を長く持続させることにより、遊技機の稼働率向上を図ることを目的とする。
【課題を解決するための手段】
【０００６】
上記課題を解決するために、本発明のある態様の弾球遊技機は、遊技領域が形成された遊技盤と、遊技領域の所定位置に設けられ、遊技球の入球が当否抽選の契機となる始動口と、始動口への入球を契機として当否抽選を実行する当否抽選手段と、外周に沿って複数の図柄が配置された複数列のリールを有し、その複数列のリールの各々が回転駆動されることにより図柄が変動表示された後、その複数列のリールが停止されたときの図柄組合せにより当否抽選の結果を示す図柄表示装置と、リールの回転速度を変化させる指示として遊技者の操作入力を受け付ける操作入力装置と、図柄の変動時間が定められた変動パターンを決定する変動パターン決定手段と、当否抽選の結果を示す図柄組合せを選択する停止図柄決定手段と、複数列のリールの回転駆動を制御することにより、決定された変動パターンにて図柄を変動表示させた後、選択された図柄組合せで図柄を停止表示させる図柄表示制御手段と、当否抽選の結果が、通常遊技より遊技者に有利な状態となる特別遊技への移行を示す結果となり、図柄が特別遊技への移行を示す図柄組合せで停止表示された場合に、特別遊技を実行する特別遊技制御手段と、を備える。図柄表示制御手段は、リールの回転中に操作入力装置の操作状態が第１の状態から第２の状態へ変化した場合、その変化時のリールの回転速度と図柄の変動時間の残り時間とリールの位置との関係に応じた減速度によりリールの回転速度を漸減させる。
【０００７】
なお、以上の構成要素に関する任意の組合せや、本発明の構成要素や表現を方法、装置、システム、コンピュータプログラム、コンピュータプログラムを格納した記録媒体、データ構造などの間で相互に置換したものもまた、本発明の態様として有効である。
【発明の効果】
【０００８】
本発明の弾球遊技機によれば、図柄の演出表示に対する遊技者の興味を長く持続させることにより、遊技機の稼働率向上を図ることができる。
【図面の簡単な説明】
【０００９】
【図１】ぱちんこ遊技機の前面側における基本的な構造を示す図である。
【図２】ぱちんこ遊技機の背面側における基本的な構造を示す図である。
【図３】本実施例におけるぱちんこ遊技機の機能ブロックを示す図である。
【図４】当否判定テーブルを模式的に示す図である。
【図５】図柄判定テーブルを模式的に示す図である。
【図６】変動パターンテーブルを模式的に示す図である。
【図７】外れ用の変動パターンテーブルを詳細に示す図である。
【図８】操作ボタンの押圧状態とリールの回転速度との関係を示す図である。
【図９】操作ボタンの押圧に伴う装飾図柄の表示態様の変化を示す図である。
【図１０】ぱちんこ遊技機における基本的な動作過程を示すフローチャートである。
【図１１】図１０におけるＳ１４の通常遊技制御処理を詳細に示すフローチャートである。
【図１２】図１１におけるＳ３４の当否判定処理を詳細に示すフローチャートである。
【図１３】図１１におけるＳ４０の図柄変動表示処理を詳細に示すフローチャートである。
【図１４】図１におけるＳ１６の特別遊技を詳細に示すフローチャートである。
【図１５】図１４におけるＳ１００の開放処理を詳細に示すフローチャートである。
【図１６】図１４におけるＳ１０２の閉鎖処理を詳細に示すフローチャートである。
【図１７】図１０におけるＳ１７の小当り遊技制御処理を詳細に示すフローチャートである。
【図１８】図１７におけるＳ１６０の開放処理を詳細に示すフローチャートである。
【図１９】図１７におけるＳ１６２の閉鎖処理を詳細に示すフローチャートである。
【発明を実施するための形態】
【００１０】
図１は、ぱちんこ遊技機の前面側における基本的な構造を示す。以下、弾球遊技機として従来にいういわゆる第１種ぱちんこ遊技機を例に説明する。ぱちんこ遊技機１０は、主に遊技機枠と遊技盤で構成される。ぱちんこ遊技機１０の遊技機枠は、外枠１１、前枠１２、透明板１３、扉１４、上球皿１５、下球皿１６、および発射ハンドル１７を含む。外枠１１は、開口部分を有し、ぱちんこ遊技機１０を設置すべき位置に固定するための枠体である。前枠１２は、外枠１１の開口部分に整合する枠体であり、図示しないヒンジ機構により外枠１１へ開閉可能に取り付けられる。前枠１２は、遊技球を発射する機構や、遊技盤を着脱可能に収容させるための機構、遊技球を誘導または回収するための機構等を含む。
【００１１】
透明板１３は、ガラスなどにより形成され、扉１４により支持される。扉１４は、図示しないヒンジ機構により前枠１２へ開閉可能に取り付けられる。上球皿１５は、遊技球の貯留、発射レールへの遊技球の送り出し、下球皿１６への遊技球の抜き取り等をする機構を有する。下球皿１６は、遊技球の貯留、抜き取り等の機構を有する。上球皿１５と下球皿１６の間にはスピーカ１８が設けられており、後述する演出を制御する手段によって遊技状態などに応じた効果音が出力される。
【００１２】
遊技盤５０は、外レール５４と内レール５６により区画された遊技領域５２上に、アウト口５８、特別図柄表示装置６１、図柄表示装置６０、始動入賞口（以下、「始動口」という）６２、センター飾り６４、大入賞口６６、作動口６８、一般入賞口７２を含む。さらに遊技領域５２には、図示しない複数の遊技釘や風車などの機構が設置される。
【００１３】
始動口６２は、遊技球の入球が当否抽選を実行する契機となる入球口であって、遊技球の入球を検出するための始動入賞検出装置７４と、始動口６２に設けられた拡開機構６３（いわゆる電動チューリップ）を拡開させるための普通電動役物ソレノイド７６を備える。拡開機構６３は、始動口６２の開口部上部に設けられた二つの羽根部材で構成され、閉鎖時は始動口６２の真上から落下する遊技球だけが入球できる程度の狭い開口幅となる。一方、拡開機構６３が拡開された開放時は始動口６２の開口幅が拡がることとなり、始動口６２の真上だけでなくその近傍を落下する遊技球も始動口６２へ誘導でき入球容易性が向上する。当否抽選は、通常遊技より遊技者に有利な状態である特別遊技へ移行するか否かを判定する抽選であり、始動口６２へ入球があるたびに実行される。始動入賞検出装置７４は、始動口６２への遊技球の入球を検出するセンサであり、入球時にその入球を示す始動入賞情報を生成する。
【００１４】
一般入賞口７２は、遊技球の入球を検出するための一般入賞検出装置７３を備える。一般入賞検出装置７３は、一般入賞口７２への遊技球の入球を検出するセンサであり、入球時にその入球を示す一般入賞情報を生成する。
【００１５】
大入賞口６６は、遊技球の入球を検出するための入賞検出装置７８と、大入賞口６６を開放させるための大入賞口ソレノイド８０を備える。入賞検出装置７８は、大入賞口６６への遊技球の入球を検出するセンサであり、入球時にその入球を示す大入賞口入賞情報を生成する。大入賞口６６は、特別図柄１９２が所定の態様にて停止したときに開始される特別遊技において「大当り」として開放状態となる横長方形状の入賞口である。大入賞口６６は、例えばアウト口５８の上方等の位置に設けられる。大入賞口６６の設置個数としては、一つだけ設置する構成に限らず、複数個の大入賞口６６を設置してそれぞれを遊技状態等に応じて使い分ける構成としてもよい。大入賞口６６の入賞検出装置７８は、遊技球の通過を検出するセンサを備えて構成される。
【００１６】
遊技領域５２の左方に設けられた特別図柄表示装置６１および遊技領域５２の略中央に設けられた図柄表示装置６０は、それぞれの画面に特別図柄１９２の変動と、特別図柄１９２に連動する装飾図柄１９０を含む演出画像の変動を表示する。以下、そうした表示を「図柄変動」または「変動表示」等という。
【００１７】
特別図柄表示装置６１は、例えば７セグメントＬＥＤで構成される表示装置である。特別図柄１９２は、始動口６２への遊技球の落入を契機として行われる抽選の結果に対応した図柄である。特別図柄１９２の変動表示が停止したときの図柄態様が、あらかじめ当りと定められた図柄であった場合に、その停止図柄が表示されたタイミングが大当り発生タイミングとなる。停止図柄は、図柄変動の終了時に表示すべき図柄である。本実施例における特別図柄１９２は、当りの図柄態様である「０」〜「９」といった数字、文字、記号、または外れの図柄態様である「−」の記号で表される。これらの数字または記号が高速で次々に入れ替わって特別図柄表示装置６１へ表示されることにより、特別図柄１９２の図柄変動表示が実現される。なお、特別図柄１９２の態様は上記の数字または記号に限られず、英字などの文字であってもよいし、７セグメントＬＥＤを構成する各セグメントの組合せで形成される一般に意味を持たない記号であってもよい。また、７セグメントＬＥＤは、「８の字」を形成する７個のセグメントおよび「ドット」を表す１個のセグメントからなる８個のセグメントで構成されてもよい。この場合、８個のセグメントを組み合わせることにより８ビット分の数値を表現できる。さらに、特別図柄表示装置６１を７セグメントＬＥＤではないＬＥＤドットアレーを用いて、その点灯パターンや点灯色の組合せで複数種類の特別図柄１９２を表現してもよい。
【００１８】
リールユニットである図柄表示装置６０は、遊技領域５２の略中央に設けられ、装飾図柄１９０を変動表示するドラム回転式の表示装置である。装飾図柄１９０は、当否抽選の結果表示を視覚的に演出するための図柄である。図柄表示装置６０は、スロットマシンのゲームを模した複数列の図柄を変動させる複数列のリールと、そのリールを個別に駆動可能な駆動手段としての図示しないステッピングモータとを含む。本実施例においては、複数列のリールとして左リール、中リールおよび右リールの３列のリールが設けられ、各リールの外周面に沿って、それぞれ「７」の数字図柄および果物の図柄で構成される装飾図柄１９０である左図柄１９１、中図柄１９３、右図柄１９５が配設されている。以下、単に「リール」とした場合には、左リール、中リールおよび右リールのうちの少なくとも１つを指すものとする。
【００１９】
本実施例では、３列のリールは、停止されたときそれぞれ１つの装飾図柄１９０のみが遊技者に視認可能となるよう、その表面が露出している。このとき、３列のリールの各々の装飾図柄１９０である左図柄１９１、中図柄１９３、右図柄１９５は、水平方向に３つ並ぶように配置される。左図柄１９１、中図柄１９３、右図柄１９５の各々の中心を通過する水平な線は、有効ラインＬとなる。図柄表示装置６０は、この有効ラインＬ上に停止表示された左図柄１９１、中図柄１９３、右図柄１９５の図柄組合せによって、当否抽選の結果を遊技者に報知する。
【００２０】
なお、本実施例ではこのように有効ラインは一本のみであるが、有効ラインが複数設けられてもよい。複数の有効ラインが設けられる場合、複数列のリールの延在方向と直交する方向に平行に並ぶ３本の有効ラインと、複数列のリールの延在方向に対し斜めに並ぶ２本の有効ラインとの合わせて５本の有効ライン（ファイブライン）が設けられてもよい。
【００２１】
作動口６８は、遊技盤５０の左側方位置に設けられる。作動口６８は、通過検出装置６９を含む。通過検出装置６９は、作動口６８への遊技球の通過を検出するセンサであり、通過時にその通過を示す通過情報を生成する。作動口６８への遊技球の通過は拡開機構６３を拡開させるか否かを決定する開放抽選の契機となる。作動口６８を遊技球が通過すると、開放抽選の結果を示す図柄である普通図柄が普通図柄表示装置５９に変動表示される。したがって、開放抽選は「普通図柄抽選」とも呼ぶ。本実施例における普通図柄表示装置５９は、便宜上、二つのランプで構成されるとともに、それらのうちいずれのランプが点灯しているかによって普通図柄の表示状態が表現される。例えば、第１のランプの点灯が外れを示し、第２のランプが当りを示すとき、それらが交互に点灯と消灯を繰り返すことによって普通図柄の変動表示が表現され、最終的にいずれかの点灯状態にて停止されることで普通図柄の停止図柄が表現される。普通図柄表示装置５９は図柄表示装置６０の右下方に設けられる。変動開始から所定時間の経過後に、普通図柄の変動表示が停止する。このとき、通常状態では例えば１／２５６程度の低確率にて普通図柄が当りの図柄で停止し、後述する入球容易状態では例えば２５０／２５６程度の高確率にて普通図柄が当りの図柄で停止する。普通図柄が当りの図柄で停止すると、拡開機構６３が所定時間拡開される。拡開機構６３の開放時間は、例えば通常状態では０．１秒間であり、入球容易状態では６秒間である。
【００２２】
図柄表示装置６０の周囲には、センター飾り６４が設けられる。センター飾り６４は、遊技球の流路、図柄表示装置６０の保護、装飾等の機能を有する。遊技領域５２の左下部には、特別図柄保留表示装置２０が設けられ、その対称位置である遊技領域５２の右下部には、普通図柄表示装置５９の下に普通図柄保留表示装置２２が設けられている。
【００２３】
特別図柄保留表示装置２０は、４個のランプからなり、その点灯個数によって当否抽選の保留数を表示する。当否抽選の保留数は、図柄変動中または特別遊技中に始動口６２へ入賞した抽選結果の個数であり、図柄変動がまだ実行されていない入賞球の数を示す。当否抽選の保留数が３個になると、遊技効率を高めるために外れの場合の図柄変動時間が通常より短縮される（以下、「短縮変動」ともいう）。同様に、当否抽選の保留数が４個になると、さらに遊技効率を高めるために外れの場合の図柄変動時間が上記３個の場合よりもさらに短縮される（以下、「超短縮変動」ともいう）。
【００２４】
普通図柄保留表示装置２２もまた４個のランプからなり、その点灯個数によって普通図柄変動の保留数を表示する。普通図柄変動の保留数は、普通図柄の変動中に作動口６８を通過した遊技球の個数であり、普通図柄の変動がまだ実行されていない普通図柄抽選の数を示す。
【００２５】
図柄表示装置６０の上方および下方には、それぞれ遊技効果ランプ９０が設けられている。操作ボタン８２は、リールの回転速度を変化させる指示として遊技者の操作入力を受け付ける操作入力装置であり、その操作入力の内容に応じて演出内容等に変化が加えられる。操作ボタン８２は、上球皿１５近傍の外壁面に設けられる。本実施例における操作ボタン８２は一つのボタンで構成されるが、複数のボタンや十字キーなどの方向指示ボタンで構成されてもよい。可動役物１４０は、演出に連動して動作が制御される可動物であり、その動作によって演出的役割を果たす。例えば可動役物１４０は、遊技者による操作ボタン８２を介した操作入力に応じて動作する。
【００２６】
以上のような構成においてなされる遊技の方法および制御の流れを概説する。遊技者が発射ハンドル１７を手で回動させると、その回動角度に応じた強度で上球皿１５に貯留された遊技球が１球ずつ内レール５６と外レール５４に案内されて遊技領域５２へ発射される。遊技者が発射ハンドル１７の回動位置を手で固定させると一定の時間間隔で遊技球の発射が繰り返される。遊技領域５２の上部へ発射された遊技球は、複数の遊技釘や風車に当りながらその当り方に応じた方向へ落下する。遊技球が一般入賞口７２や始動口６２、大入賞口６６の各入賞口へ落入すると、その入賞口の種類に応じた賞球が上球皿１５または下球皿１６に払い出される。一般入賞口７２等の各入賞口に落入した遊技球はセーフ球として処理され、アウト口５８に落入した遊技球はアウト球として処理される。なお、各入賞口は遊技球が通過するゲートタイプのものを含み、本願において「落入」「入球」「入賞」というときは「通過」を含むものとする。
【００２７】
遊技球が始動口６２に落入すると、特別図柄表示装置６１および図柄表示装置６０において特別図柄１９２および装飾図柄１９０が変動表示される。特別図柄１９２および装飾図柄１９０の変動表示は、表示に先だって決定された変動表示時間の経過後に停止される。特別図柄１９２は、その変動開始から停止までの変動態様が定められた変動パターンにしたがって変動表示される。装飾図柄１９０は、その変動開始から停止までの変動態様が定められた変動演出パターンにしたがって変動表示される。変動パターンおよび変動演出パターンはそれぞれ複数種ずつ用意され、それぞれが長短様々な変動時間をもつ。変動パターンにしたがって特別図柄１９２が変動表示される間、同じ変動時間をもつ変動演出パターンにしたがって装飾図柄１９０が変動表示される。変動パターンには、その図柄変動の終了条件としてパターンごとに変動表示時間が定められており、その変動表示時間の経過時に特別図柄１９２および装飾図柄１９０の変動が停止される。
【００２８】
装飾図柄１９０の変動表示としては、まず変動開始とともにスロットマシンのリール回転のように３列とも図柄を変動させ、変動終了タイミングへ近づいたときに一列ずつ停止させることで最終的な停止態様としての図柄組合せを表示する。停止時の特別図柄１９２および装飾図柄１９０が大当りを示す停止態様となった場合、通常遊技よりも遊技者に有利な遊技状態である特別遊技に移行し、大入賞口６６の開閉動作が開始される。大当りを示す装飾図柄１９０の停止態様は、例えば３つの図柄の種類が一致する組合せの態様である。
【００２９】
変動演出パターンには、通常外れ演出パターン、リーチ外れ演出パターン、リーチ大当り演出パターンが含まれる。通常外れ演出パターンは、通常の外れの図柄組合せを表示するときの演出パターンである。リーチ外れ演出パターンは、あと一つ図柄が揃えば大当りとなる状態であるリーチ状態を経て外れの図柄組合せを表示するときの演出パターンである。リーチ大当り演出パターンは、リーチ状態を経て大当りの図柄組合せを表示するときの演出パターンである。特に、リーチ状態を経るときのパターンとしては、長短様々な変動時間をもつパターンが含まれ、相対的に変動時間の短いリーチパターンを「ノーマルリーチ」と称し、変動時間の長いリーチパターンを「スーパーリーチ」と称する。
【００３０】
特別遊技は、開始デモ時間と呼ばれる演出画面の表示によって開始される。開始デモ時間の画面表示後に大入賞口６６が開放され、その開放が約３０秒間続いた後、または９球以上の遊技球が落入した後で一旦閉鎖される。このような大入賞口６６の開放から閉鎖までが、基本的には単位遊技と呼ばれるが、１回の単位遊技の間に複数回の短時間の開放を繰り返す場合があってもよい。大入賞口６６の開閉ないし単位遊技が所定の複数回数、例えば１５回繰り返された後、終了デモ時間と呼ばれる演出画面の表示によって特別遊技が終了される。これに対し、当否抽選が小当りと呼ばれる結果に該当した場合は小当り遊技が実行される。小当りは、当否抽選の結果としては外れに含まれる結果である。小当り遊技は、一部の種類の特別遊技と類似の態様にて実行される単位遊技である。ただし、小当り遊技として実行される単位遊技は１回だけであり、複数回数の単位遊技が実行される特別遊技とは異なる。
【００３１】
特別遊技が終了した後の通常遊技においては特定遊技の一つである特別図柄１９２および装飾図柄１９０の変動時間短縮（以下、適宜「時短」という）が開始される。特別図柄１９２および装飾図柄１９０の時短は、特別図柄１９２および装飾図柄１９０の変動時間が通常状態よりも短縮される状態である。特別図柄１９２および装飾図柄１９０の変動時間は、所定の変動回数、例えば１００回の変動表示がなされた後で元の変動時間に戻されるが、その変動回数に達する前に大当りが発生すれば時短も終了する。時短により特別図柄１９２および装飾図柄１９０の変動時間が短縮されるため、通常の変動時間のまま図柄変動がなされる通常状態の場合と比べて、大当りが発生するまでの時間を短縮することができ、大当りの獲得容易性を相対的に高めることができる。
【００３２】
特別図柄１９２および装飾図柄１９０の時短中は、特定遊技の一つである入球容易状態が実施される。入球容易状態は、普通図柄の時短、開放抽選の確率変動、拡開機構６３の開放延長が実施されることにより始動口６２への入球容易性が高められる状態である。普通図柄の時短は、普通図柄の変動時間が通常状態より短縮される状態である。開放抽選の確率変動は、開放抽選の当り確率を通常状態より高める状態である。拡開機構６３の開放延長は、拡開機構６３の開放時間を通常状態よりも長くする状態である。このように、入球容易状態においては、一定時間あたりの普通図柄の変動回数が通常状態よりも増加する可能性が高まる上、始動口６２への入球容易性も増すため、始動口６２への入球数が増加する可能性も高い。したがって、特別図柄１９２および装飾図柄１９０の時短および入球容易状態により、その期間中は始動口６２への入球による賞球を得られる機会が増加する結果、持ち玉をほとんど減らさずに遊技し続けることが可能となる。
【００３３】
なお、本実施例における入球容易状態は、普通図柄の時短、開放抽選の確率変動、拡開機構６３の開放延長という３つの機能を用いて始動口６２への入球容易性を高める。ただし、変形例としては、これら３つの機能のうち、１つまたは２つの機能を用いて始動口６２への入球容易性を高める構成としてもよい。このように３つの機能のうち一部だけを用いても始動口６２への入球容易性を高めることは可能である。また、３つの機能のうち少なくともいずれかを、実施する期間と実施しない期間とで遊技状態に応じて切り替える構成としてもよい。
【００３４】
特別遊技が発生した場合であってそのときの当り停止図柄が特定の態様であった場合、特別遊技の終了後に特定遊技の一つである当否抽選の確率変動遊技（以下、適宜「確変」という）がさらに開始される。当否抽選の確変中は、通常の確率状態より当りの確率が高い当否抽選が行われ、比較的早期に新たな特別遊技が発生し得る。当否抽選の確変は次の大当りが発生するまで継続されるが、変形例として、所定の限定的な回数の図柄変動がなされたときに終了する構成であってもよい。本実施例においては、確変が開始されるときに同時に特別図柄１９２および装飾図柄１９０の時短や入球容易状態も開始されるが、変形例として時短や入球容易状態の開始を伴わない確変が実行される場合があってもよい。
【００３５】
図２は、ぱちんこ遊技機の背面側における基本的な構造を示す。電源スイッチ４０はぱちんこ遊技機１０の電源をオンオフするスイッチである。メイン基板１０２は、ぱちんこ遊技機１０の全体動作を制御し、特に始動口６２へ入賞したときの抽選等、遊技動作全般を処理する。サブ基板１０４は、液晶ユニット４２を備え、図柄表示装置６０における表示内容や複数の可動役物１４０の動作、遊技効果ランプ９０の点灯を制御し、特にメイン基板１０２による抽選結果に応じて表示内容を変動させ、その演出の進行に沿って可動役物１４０や遊技効果ランプ９０の点灯を作動させる。メイン基板１０２およびサブ基板１０４は、遊技制御装置１００を構成する。裏セット機構３９は、賞球タンク４４や賞球の流路、賞球を払い出す払出ユニット４３等を含む。払出ユニット４３は、各入賞口への入賞に応じて賞球タンク４４から供給される遊技球を上球皿１５へ払い出す。払出制御基板４５は、払出ユニット４３による払出動作を制御する。発射装置４６は、上球皿１５の貯留球を遊技領域５２へ１球ずつ発射する。発射制御基板４７は、発射装置４６の発射動作を制御する。電源ユニット４８は、ぱちんこ遊技機１０の各部へ電力を供給する。
【００３６】
図３は、本実施例におけるぱちんこ遊技機１０の機能ブロックを示す。ぱちんこ遊技機１０において、遊技制御装置１００は、始動口６２、大入賞口６６、一般入賞口７２、作動口６８、特別図柄表示装置６１、図柄表示装置６０、普通図柄表示装置５９、操作ボタン８２、スピーカ１８、遊技効果ランプ９０、可動役物１４０のそれぞれと電気的に接続されており、各種制御信号の送受信を可能とする。遊技制御装置１００は、遊技の基本動作だけでなく、図柄変動表示や可動役物１４０、電飾等の演出的動作も制御する。遊技制御装置１００は、遊技の基本動作を含むぱちんこ遊技機１０の全体動作を制御するメイン基板１０２と、図柄の演出等を制御するサブ基板１０４とに機能を分担させた形態で構成される。遊技制御装置１００は、ハードウエア的にはデータやプログラムを格納するＲＯＭやＲＡＭ、演算処理に用いるＣＰＵ等の素子を含んで構成される。
【００３７】
本実施例におけるメイン基板１０２は、入球判定手段１１０、当否抽選手段１１２、図柄決定手段１１４、変動パターン決定手段１１５、保留制御手段１１６、メイン表示制御手段１１８、特別遊技制御手段１２０、特定遊技実行手段１２２、開閉制御手段１２４を備える。本実施例におけるサブ基板１０４は、パターン記憶手段１３０、図柄態様決定手段１３１、演出決定手段１３２、演出表示制御手段１３４、役物制御手段１３６を備える。なお、メイン基板１０２に含まれる各機能ブロックは、いずれかがメイン基板１０２ではなくサブ基板１０４に搭載されるかたちで構成されてもよい。同様に、サブ基板１０４に含まれる各機能ブロックは、いずれかがサブ基板１０４ではなくメイン基板１０２に搭載されるかたちで構成されてもよい。
【００３８】
ただし、メイン基板１０２とサブ基板１０４の間におけるデータの送受信はメイン基板１０２からサブ基板１０４への一方向であるため、そのような一方向でのデータ送受信にて全体動作が実現されるよう各構成がメイン基板１０２とサブ基板１０４に配置される。このようにメイン基板１０２からサブ基板１０４へのデータ送信の一方向性が保たれるため、サブ基板１０４に含まれる構成からメイン基板１０２に含まれる構成へはデータを送信することができず、データ送信の要求もできない。したがって、メイン基板１０２で生成された情報は、メイン基板１０２がサブ基板１０４へ一方的に送信しない限りサブ基板１０４から参照することはできない。
【００３９】
入球判定手段１１０は、各入賞口への遊技球の入球を判定する。入球判定手段１１０は、始動入賞情報を受け取ると遊技球が始動口６２に入賞したと判断し、大入賞口入賞情報を受け取ると遊技球が大入賞口６６に入賞したと判断し、一般入賞情報を受け取ると遊技球が一般入賞口７２に入賞したと判断する。入球判定手段１１０は、通過情報を受け取ると遊技球が作動口６８を通過したと判断する。
【００４０】
当否抽選手段１１２は、始動口６２への入球を契機に、通常遊技より遊技者に有利な状態である特別遊技へ移行するか否かを判定するための乱数の値を当否抽選値として取得する。たとえば、当否抽選値は「０」から「６５５３５」までの値範囲から取得される。なお、本願にいう「乱数」は、数学的に発生させる乱数でなくてもよく、ハードウエア乱数やソフトウエア乱数などにより発生させる疑似乱数でもよい。当否抽選手段１１２が当否抽選値として取得する値は、保留制御手段１１６により一時的に保留される。ただし、所定の保留上限数を超えない範囲で当否抽選値が保留される。
【００４１】
当否抽選手段１１２は、当否判定で参照する当否テーブルを複数保持する。複数の当否テーブルには、大当り、小当り、外れの判定結果と当否抽選値とが対応付けられており、対応付けられた大当りの範囲設定に応じて当否確率が定まる。当否抽選手段１１２は、通常時には通常確率による当否テーブルを参照し、確率変動時には通常確率より当りの確率が高くなる当否テーブルを参照する。当否抽選手段１１２は、複数の当否テーブルのうちいずれかを参照し、当否抽選値が当りであるか否かを判定する。
【００４２】
当否抽選手段１１２は、遊技球が作動口６８を通過した場合に、普通図柄を決定するための開放抽選として抽選値を取得する。当否抽選手段１１２は、開放抽選の抽選値と当否結果の対応関係が定められた当否テーブルを保持し、その当否テーブルを参照して開放抽選の当否結果を決定する。通常状態においては１／２５６の確率で当りとなる当否テーブルを参照し、入球容易状態においては２５０／２５６の確率で当りとなる当否テーブルを参照する。普通図柄の抽選値は、保留制御手段１１６により一時的に保留される。ただし、保留制御手段１１６により保留される所定の保留上限数を超えない場合にだけ抽選値が保留される。
【００４３】
図４は、当否判定テーブルを模式的に示す図である。本図の当否判定テーブルには、大当り、小当り、外れの判定結果と当否抽選値とが対応付けられており、対応付けられたそれぞれの範囲設定に応じて大当り当否確率や小当りの当否確率が定まる。当否抽選手段１１２は、当否判定において本図の当否判定テーブルを参照する。当否抽選手段１１２による当否抽選においては、通常時には図４（ａ）の通り、当否抽選値が０〜３９９の範囲に該当したときのみ大当りとなる。確変時には図４（ｂ）の通り、大当りの範囲が拡大され、当否抽選値が０〜３９９の範囲に該当する場合だけでなく、４００〜２９９９の範囲に該当する場合にも大当りとなる。このように、大当りに該当する範囲は遊技状態に応じて変化する。大当りに該当した場合、１５Ｒ大当りと２Ｒ大当りのいずれとなるか、および、確変を伴うか否かは、特別図柄の停止図柄に応じて別途決定される。なお、本図では単一の当否判定テーブルによって通常時と確変時の双方の大当り範囲を示したが、当否判定テーブルは通常時用と確変時用とで別個に用意してもよい。
【００４４】
本実施例においては、当否抽選値が大当り範囲に該当しない、いわゆる外れとなった場合であっても、所定の範囲に該当した場合には小当りとなる。本図の例では、当否抽選手段１１２が取得する当否抽選値が６５０００〜６５５３５の範囲に該当した場合に小当りとなる。このように、大当りに該当しなかった場合、本来はすべて「外れ」であるが、本図の例では大当りに該当しなかった場合のうち小当りにも該当しなかった場合の当否抽選値範囲を特に「外れ」と表現している。なお、本図では大当りか否かの判定テーブルと小当りか否かの判定テーブルとを単一の当否判定テーブルの形で実現する例を示したが、それぞれを別個のテーブルとして実現してもよい。
【００４５】
図３に戻り、当否抽選手段１１２による判定結果は、特別図柄表示装置６１において特別図柄のかたちで変動表示される。また、当否抽選手段１１２による判定結果を演出的に示す装飾図柄１９０が図柄表示装置６０において変動表示される。当否抽選手段１１２は、図柄変動を開始するタイミングにおいて、その図柄変動に対応する抽選の結果を図柄変動の制御コマンドとともに図柄態様決定手段１３１および演出決定手段１３２へ送信する。
【００４６】
図柄決定手段１１４は、特別図柄表示装置６１に表示させる特別図柄の停止図柄を、当否抽選手段１１２による抽選の結果に応じて決定する。図柄決定手段１１４は、特別図柄の停止図柄を決定するために参照すべき図柄範囲テーブルを保持する。図柄決定手段１１４は、特別図柄を決定するための図柄決定抽選値を取得し、当否抽選手段１１２による当否判定結果と図柄決定抽選値とに応じて特別図柄の停止図柄を決定する。
【００４７】
また、図柄決定手段１１４は、３列のリールによって有効ラインＬ上に変動停止させるべき装飾図柄１９０である左図柄１９１、中図柄１９３、右図柄１９５の図柄組合せを、当否抽選手段１１２による当否抽選の結果に応じて決定する。図柄決定手段１１４は、図柄組合せを決定するために参照すべき図柄決定テーブルを保持する。図柄決定手段１１４は、図柄組合せを決定するための図柄抽選値を取得し、当否抽選手段１１２による当否判定結果と図柄抽選値とに応じて図柄組合せを決定する。
【００４８】
図柄決定手段１１４は、普通図柄表示装置５９に表示させる普通図柄の停止図柄を、当否抽選手段１１２による開放抽選の結果に応じて決定する。図柄決定手段１１４は、開放抽選の結果を普通図柄のかたちで普通図柄表示装置５９に変動表示させるために、開放抽選の結果に応じて普通図柄の停止図柄を決定する。決定された停止図柄が所定の図柄となった場合に普通図柄が当りに該当したと判定され、その停止図柄にて普通図柄の変動表示が停止された後に開閉制御手段１２４が始動口６２の拡開機構６３を所定時間拡開する。
【００４９】
図柄決定手段１１４は、決定した停止図柄を示すデータをメイン表示制御手段１１８、図柄態様決定手段１３１、演出決定手段１３２へ送出する。
【００５０】
図５は、図柄判定テーブルを模式的に示す図である。図５（ａ）は当否判定結果が大当りであった場合に参照するテーブルであり、図５（ｂ）は当否判定結果が外れであった場合に参照するテーブルであり、図５（ｃ）は当否判定結果が小当りであった場合に参照するテーブルである。図柄決定手段１１４は、図柄判定において本図の図柄判定テーブルを参照する。各図柄判定テーブルには、「０」〜「９」の数字および「−」の記号で表される特別図柄と図柄抽選値との対応関係が定められている。特別図柄の種類はそれぞれ大当り、小当り、外れの当否判定結果と対応付けられており、奇数の数字が大当りに対応し、偶数の数字が小当りに対応し、「−」の記号が外れに対応する。
【００５１】
図５（ａ）に示す通り、特別図柄「０」〜「９」のうち奇数の数字である特別図柄「１」「３」「５」「７」「９」が大当りに対応付けられている。そのうち、特別図柄「７」は確変を伴う１５Ｒ大当りを示し、図柄抽選値の範囲「０〜９９」に対応付けられる。特別図柄「３」は確変を伴う２Ｒ大当りを示し、図柄抽選値の範囲「１００〜１４９」に対応付けられる。特別図柄「１」「５」「９」は確変を伴わない１５Ｒ大当りを示し、図柄抽選値の範囲「１５０〜１８９」に特別図柄「１」が対応付けられ、「１９０〜２２９」に特別図柄「５」が対応付けられ、「２３０〜２５５」に特別図柄「９」が対応付けられる。
【００５２】
図５（ｂ）に示す通り、特別図柄「−」は当否判定結果が外れの場合における全範囲の図柄抽選値に対応付けられている。
【００５３】
図５（ｃ）に示す通り、特別図柄「０」〜「９」のうち偶数の数字である特別図柄「０」「２」「４」「６」「８」が小当りに対応付けられている。特別図柄「０」は図柄抽選値の範囲「０〜４９」に対応付けられ、特別図柄「２」は図柄抽選値の範囲「５０〜９９」に対応付けられる。特別図柄「４」は図柄抽選値の範囲「１００〜１４９」に対応付けられ、特別図柄「６」は図柄抽選値の範囲「１５０〜１９９」に対応付けられ、特別図柄「８」は図柄抽選値の範囲「２００〜２５５」に対応付けられる。
【００５４】
図３に戻り、変動パターン決定手段１１５は、当否抽選の結果に応じて複数種の変動パターンからいずれかの変動パターンを選択する。変動パターン決定手段１１５は、変動パターンを決定するために参照すべき変動パターンテーブルを保持する。変動パターン決定手段１１５は、決定した変動パターンを示すデータをメイン表示制御手段１１８、図柄態様決定手段１３１、演出決定手段１３２へ送出する。変動パターン決定手段１１５は、複数種の変動パターンを記憶する。複数種の変動パターンは、長短様々な変動時間をもつとともに、その変動時間にて複数の図柄で構成される装飾図柄による図柄変動も実行されることを前提として規定される。各変動パターンには、その図柄変動の終了条件としてパターンごとに変動表示時間が定められており、その変動表示時間の経過時に特別図柄および装飾図柄の変動が停止される。
【００５５】
図６は、変動パターンテーブルを模式的に示す図である。変動パターン決定手段１１５は、当否判定結果が外れのときは図６（ａ）に示される外れ用の変動パターンテーブルを参照する。当否判定結果が１５Ｒ大当りのときは図６（ｂ）に示される１５Ｒ大当り用の変動パターンテーブルを参照する。当否判定結果が２Ｒ大当りまたは小当りのときは図６（ｃ）に示される２Ｒ大当りおよび小当り用の変動パターンテーブルを参照する。
【００５６】
図６（ａ）においては、パターン抽選値０〜１０には「スーパー１」というスーパーリーチが対応付けられ、パターン抽選値１１〜２０には「スーパー２」というスーパーリーチが対応付けられている。パターン抽選値２１〜２５５には「ノーマル１」「ノーマル２」「リーチなし」のいずれかの変動パターンが対応付けられている。このように、当否判定結果が外れの場合、スーパーリーチ、ノーマルリーチ、リーチなしのいずれも選択される可能性がある。なお、外れ用の変動パターンテーブルにおいて、特に「リーチなし」の変動パターンを選択するとき、時短状態においては通常状態よりもさらに変動時間が概ね短い変動パターンが選択されるよう異なるテーブルを参照する。また、外れ用の変動パターンテーブルは保留数ごとに参照すべき欄が異なるように規定されるが、通常状態を例とするその詳細は後述する図７において説明する。
【００５７】
図６（ｂ）においては、パターン抽選値０〜１２０には「スーパー１」のスーパーリーチが対応付けられ、パターン抽選値１２１〜２４０には「スーパー２」のスーパーリーチが対応付けられている。パターン抽選値２４１〜２５０には「ノーマル１」のリーチが対応付けられ、パターン抽選値２５１〜２５５には「ノーマル２」のリーチが対応付けられている。このように、当否判定結果が１５Ｒ大当りの場合はリーチ付きの変動パターンが選択される。
【００５８】
図６（ｃ）においては、パターン抽選値０〜１２２には「スーパー３」というスーパーリーチが対応付けられ、パターン抽選値１２３〜２５５には「ノーマル３」というノーマルリーチが対応付けられている。このように当否判定結果が２Ｒ大当りまたは小当りの場合は「スーパー３」または「ノーマル３」がそれぞれ約５０％の確率で選択される。
【００５９】
図３に戻り、変動パターン決定手段１１５は、普通図柄の変動表示時間を決定する。通常状態においては変動表示時間を６０秒に決定し、入球容易状態においては変動表示時間を６秒に決定する。
【００６０】
保留制御手段１１６は、始動口６２へ新たな入球があって新たに当否抽選が実行されるときにそれ以前の入球ないし抽選に対応する図柄変動が表示されている場合、新たな入球に基づく当否抽選の結果をその抽選に対応する図柄の変動表示開始まで保留する。本実施例では当否抽選の結果として４個を上限として当否抽選値を保留球として保持する。ここでいう当否抽選値は、当否抽選値、図柄抽選値、変動パターン抽選値を含む。保留制御手段１１６はさらに、当否抽選手段１１２により取得された普図抽選値を保留球として保持する。これらの保留数がそれぞれ特別図柄保留表示装置２０、普通図柄保留表示装置２２の点灯数または点滅数により表される。
【００６１】
メイン表示制御手段１１８は、当否抽選手段１１２による抽選の結果を、変動パターン決定手段１１５により決定された変動パターンにしたがって特別図柄１９２の変動表示として特別図柄表示装置６１に表示させる。メイン表示制御手段１１８は、それ以前になされた当否抽選に対応する図柄の変動表示が終了していることを新たな図柄変動の開始条件とする。メイン表示制御手段１１８は、特別図柄１９２の変動表示を開始するタイミングと停止するタイミングにて、変動開始コマンドと変動停止コマンドを演出表示制御手段１３４へ送信する。変動開始コマンドを送信するとき、判定された当否判定結果、停止図柄、変動パターンのそれぞれを示す値を変動開始コマンドとともに演出表示制御手段１３４へ送信する。変動停止コマンドを送信するとき、あらためて停止図柄を示す値を変動停止コマンドとともに演出表示制御手段１３４へ送信する。これにより、メイン表示制御手段１１８および演出表示制御手段１３４による変動表示が同期し、連動が保たれる。メイン表示制御手段１１８は、普通図柄抽選の結果を普通図柄の変動表示として普通図柄表示装置５９に表示させる。
【００６２】
特別遊技制御手段１２０は、当否抽選手段１１２による当否抽選が特別遊技への移行を示す結果となった場合、特別図柄１９２が所定の大当り態様で停止されたときに特別遊技作動条件が成立したと判定し、大入賞口６６を開放させることにより特別遊技を実行する。特別遊技は、大入賞口６６の開閉動作を複数回数連続して継続する遊技であり、１回の開閉を単位とした複数回の単位遊技で構成される。特別遊技には、単位遊技を１５回繰り返す１５Ｒ大当りと、１５Ｒ大当りより開放時間が短い単位遊技を２回だけ繰り返す２Ｒ大当りがある。１５Ｒ大当りにおいては、１回の単位遊技において大入賞口６６を原則として約３０秒間開放させる。２Ｒ大当りにおいては、１回の単位遊技において大入賞口６６を約０．５秒間だけ開放させる。特別遊技制御手段１２０は、単位遊技の設定ラウンド数を消化したときに特別遊技を終了させる。なお、２Ｒ大当りとなった場合においても、所定の条件を満たした場合には、１５Ｒ大当りと同様の開放態様で大入賞口６６を開放させてもよい。
【００６３】
特定遊技実行手段１２２は、確変状態、時短状態、および入球容易状態における通常遊技を制御する。特定遊技実行手段１２２は、特別遊技の終了後に遊技状態を時短状態および入球容易状態へ移行させる。一方、特別遊技の終了後に確変状態へ移行させるのは、図柄決定手段１１４により決定された図柄が確変への移行を伴う大当り図柄であった場合に限られる。時短状態および入球容易状態は、特別図柄１９２の変動表示回数が特別遊技の終了時点から数えて所定の終了条件回数、例えば１００回に達するまで継続される。ただし、同時に確変状態へ移行した場合は確変状態が続く限り時短状態および入球容易状態も継続される。すなわち、次の大当りが発生するまで継続される。このように時短状態および入球容易状態の終期は遊技状態に応じて定まる。時短状態においては、特別図柄１９２の変動表示時間が概ね短くなるよう、変動パターン決定手段１１５が変動時間の短い変動パターンを選択する。ただし、通常状態においては、保留制御手段１１６による当否抽選結果の保留数に応じた変動パターンテーブルを参照し、保留制御手段１１６による保留数が少なくなるほど変動時間の長い変動パターンが出現しやすくなる。入球容易状態においては、普通図柄の時短、普通図柄の確変、拡開機構６３の開放延長が実施される。一方、確変状態は、次の大当りによる特別遊技が実行されるまで継続される。確変状態の間は当否抽選手段１１２による当否判定結果が大当りとなる確率が高い値のまま維持される。
【００６４】
開閉制御手段１２４は、始動口６２の普通電動役物や大入賞口６６の開閉を制御する。開閉制御手段１２４は、普通図柄が特定の図柄で停止されると、普通電動役物ソレノイド７６に開放指示を送り、始動口６２を開放させる。また、開閉制御手段１２４は、特別遊技中、大入賞口ソレノイド８０に開放指示を送り、大入賞口６６を開放させる。
【００６５】
パターン記憶手段１３０は、装飾図柄１９０の変動において図柄表示装置６０に表示させる演出的な画像内容とその表示過程が定められた複数の演出パターンを保持する。演出パターンには、装飾図柄１９０の変動表示における変動開始から停止までの変動過程と演出過程が定められた複数の変動演出パターンと、装飾図柄の変動表示とは別に表示されて大当りへの期待度の高さを変動表示の停止前に予告的に示唆する複数の予告演出パターンとが含まれる。
【００６６】
演出決定手段１３２は、当否抽選手段１１２から受け取る当否抽選の結果に応じて、演出表示制御手段１３４によって図柄表示装置６０へ表示させる演出内容を決定する。演出決定手段１３２は、変動パターン決定手段１１５により決定された特別図柄の変動パターンに対応する複数の変動演出パターンデータからいずれかを選択してパターン記憶手段１３０から読み出し、その変動演出パターンの情報を演出表示制御手段１３４へ送る。演出決定手段１３２は、変動演出パターンを選択するために参照すべきパターンテーブルを保持する。
【００６７】
各変動演出パターンには、その図柄変動の終了条件としてパターンごとに変動時間が定められており、その変動時間の経過時に図柄変動が停止される。演出決定手段１３２は、特別図柄の変動パターンに応じて、変動時間が等しい演出画像の変動演出パターンを選択する。
【００６８】
図柄態様決定手段１３１は、装飾図柄１９０の停止図柄の組合せとその配置を、当否抽選手段１１２による抽選の結果、特別図柄の停止図柄、特別図柄の変動パターン、装飾図柄の変動演出パターンに応じて決定する。図柄態様決定手段１３１は、決定した停止図柄の組合せを示す情報を演出表示制御手段１３４へ送信する。図柄態様決定手段１３１は、装飾図柄の停止図柄を決定するために参照すべき図柄範囲テーブルを保持する。
【００６９】
装飾図柄１９０の停止図柄は、３つの図柄の組合せとして形成され、例えば当否抽選手段１１２による当否判定結果が１５Ｒ大当りの特別遊技への移行を示す場合には特定の組合せ、例えば「７７７」や「１１１」のように３つの図柄が揃った組合せが選択される。この場合、装飾図柄１９０として揃える数字には、特別図柄１９２と同じ数字が選ばれるのが好ましいが、必ずしも同じ数字でなくともよい。例えば、特別図柄１９２が「７」の場合は装飾図柄１９０が「７７７」となる。当否判定結果が２Ｒ大当りの場合や小当りの場合もまた特定の組合せ、例えば「３５７」のような所定の組合せが選択されるが、それらの特定の組合せは必ずしも３つの図柄が揃った組合せでなくてもよい。当否判定結果が大当りでも小当りでもない場合は、「３１２」や「９４６」のように３つの図柄が揃っていない組合せであって、２Ｒ大当りや小当りのときに選択される特定の組合せに該当しない組合せが選択される。当否判定結果が１５Ｒ大当りではない場合であって、リーチ付きの外れを示す変動パターンが選択された場合は、「１９１」や「７２７」のように一つだけ図柄が揃っていない組合せを選択する。
【００７０】
予告演出パターンは、特定のキャラクタやモチーフの画像、アニメーション、映像などを一時的に画面表示させる演出パターンや、特定の音声を出力する演出パターンである。予告演出パターンによる演出は、図柄変動と並行して実行され、その図柄変動が大当り態様にて停止する期待度が高いことを予告的に示唆する。例えば、キャラクタの画像を一つだけ画面に表示させるだけの通常予告演出や、多数のキャラクタの群れを画面の一端から他端へ通過させるように表示させる群予告演出がある。また、予告演出の表示過程を複数段階に分け、表示させる段階数を可変にして段階数が多いほど大当りへの期待度が高くなるように設定されるステップアップ予告演出がさらに含まれる。
【００７１】
予告演出パターンには、装飾図柄１９０の表示態様がリーチ状態となった後のタイミングで演出が実行されて図柄の最終的な停止態様を予告するパターンと、装飾図柄１９０が一つも停止していないタイミングで演出が実行されてリーチ状態となることを同時に予告するパターンとがある。
【００７２】
演出決定手段１３２は、当否抽選の結果に応じて図柄表示装置６０に予告演出を表示させるか否かを所定の予告抽選により決定して事前演出設定をするとともに、表示させるべき予告演出パターンを決定する。演出決定手段１３２は、予告演出を表示させるか否かを決定するために参照すべき予告決定テーブルと、予告演出パターンの種類を選択するときに参照すべき予告種類テーブルとを保持する。予告決定テーブルは、当否抽選の結果に応じて異なる欄が参照されるように設定されており、当否抽選が当りの場合は外れの場合よりも高い確率で予告演出を表示させるよう、当否抽選の結果と予告演出を表示するか否かの対応関係が定められる。これにより、予告演出が表示されること自体で大当りへの期待度の高さを示唆することができる。
【００７３】
演出表示制御手段１３４は、複数列のリールの回転駆動を制御することにより、選択された変動演出パターンデータにしたがって図柄表示装置６０へ装飾図柄１９０を含む演出画像を変動表示させる。その後、当否抽選手段１１２による当否抽選の結果として、選択された図柄組み合わせで装飾図柄１９０である左図柄１９１、中図柄１９３、右図柄１９５を図柄表示装置６０の有効ラインＬ上に停止表示させることにより、当否抽選手段１１２による抽選の結果を表示させる。演出表示制御手段１３４は、装飾図柄１９０の変動開始コマンドを受け取ったときに新たな図柄変動を開始させる。
【００７４】
また、演出表示制御手段１３４は、予告演出を表示させる旨が演出決定手段１３２により決定された場合、選択された予告演出パターンにしたがった予告演出を図柄表示装置６０へ表示させる。演出表示制御手段１３４は、遊技効果ランプ９０の点灯および消灯や、スピーカ１８からの音声出力などの演出処理をさらに制御する。
【００７５】
役物制御手段１３６は、演出表示制御手段１３４から受け取る指示にしたがい、図柄表示装置６０における演出内容や遊技効果ランプ９０の点滅過程に沿って、可動役物１４０を演出的に動作させる。
【００７６】
図７は、外れ用の変動パターンテーブルを詳細に示す図である。本図の変動パターンテーブル２１０においては、保留数ごとにそれぞれ変動パターンに対応付けられたパターン抽選値の範囲が異なる。具体的には、保留数が少ないほど変動時間が相対的に長い変動パターンに割り当てられたパターン抽選値の範囲が広くされており、それら変動時間の長い変動パターンが選択される確率を高めている。そのため、保留制御手段１１６による保留数が少ないほど平均的な変動時間が長くなる。したがって、保留制御手段１１６による保留数が所定数、例えば１〜２個より少なくなった場合に、変動時間の長い変動パターンの選択確率が通常より高くなり、変動時間が比較的長くなりやすい。
【００７７】
第１欄２１２には、保留制御手段１１６による当否抽選の結果保留数が１の場合のパターン抽選値範囲と変動パターンとの対応関係が示される。同様に、第２欄２１４、第３欄２１６、第４欄２１８に、保留制御手段１１６による当否抽選の結果保留数がそれぞれ２、３、４の場合のパターン抽選値範囲と変動パターンとの対応関係が示される。すなわち、第１欄２１２、第２欄２１４、第３欄２１６、第４欄２１８が保留数ごとの変動パターンテーブルを示すと考えることができる。本図では、外れのときに選択され得る複数の変動パターンを変動時間別に５種類に分類した例を説明するが、実際にはそれらの分類ごとに複数の変動演出パターンが用意されており、全体で数十種類の変動演出パターンがその分類ごとの抽選値範囲に対応付けられていることに等しい。なお、本図の第２欄２１４、第３欄２１６、第４欄２１８の各パターン抽選値範囲の割合と第１欄２１２におけるパターン抽選値範囲の割合を比較するために、第１欄２１２のパターン抽選値範囲の割合を示す破線を第２欄２１４、第３欄２１６、第４欄２１８に描いている。
【００７８】
第１範囲２２２には、抽選値が０から１０までのパターン抽選値に該当する場合の変動パターンとして、第１欄２１２、第２欄２１４、第３欄２１６、第４欄２１８のいずれにも「スーパー１」というスーパーリーチの変動パターンが対応付けられる。第２範囲２２４には、抽選値が１１から２０までのパターン抽選値に該当する場合の変動パターンとして、第１欄２１２、第２欄２１４、第３欄２１６、第４欄２１８のいずれにも「スーパー２」というスーパーリーチの変動パターンが対応付けられる。このように、抽選値が０から１０までのパターン抽選値と抽選値が１１から２０までのパターン抽選値の場合には、保留数にかかわらず同じ変動時間の変動パターンが選択される。
【００７９】
第３範囲２２６には、抽選値が２１から２５５までのパターン抽選値に該当する場合の変動パターンとして、第１欄２１２、第２欄２１４、第３欄２１６、第４欄２１８にはそれぞれノーマルリーチである「ノーマル１」「ノーマル２」と「リーチなし外れ」の３種類の変動パターンが対応付けられる。ただし、それぞれの変動パターンが対応付けられるパターン抽選値の範囲は保留数によって異なる。第１欄２１２では、「ノーマル１」「ノーマル２」「リーチなし」のそれぞれが対応付けられる抽選値範囲の大きさがそれぞれほぼ等しく、２１から２５５をほぼ３等分した範囲が対応付けられている。これに対し、第２欄２１４では、「ノーマル１」「ノーマル２」のそれぞれに対応付けられる抽選値範囲の大きさが「リーチなし」に対応付けられる抽選値範囲より小さい。また、第３欄２１６および第４欄２１８では「ノーマル１」「ノーマル２」のそれぞれに対応付けられる抽選値範囲の大きさがさらに小さくなっている。
【００８０】
「ノーマル１」「ノーマル２」の変動時間は「リーチなし外れ」の変動時間より長くてもよく、また「リーチなし外れ」のときは時短状態のように変動時間が短縮される場合もあるため、上記の第３範囲２２６の設定内容に応じて平均的な変動時間が異なることとなる。保留数が０から１、２、３、４と多くなるにつれて「ノーマル１」および「ノーマル２」のパターン抽選値範囲は小さくなり、逆に「リーチなし外れ」のパターン抽選値範囲が大きくなる。したがって、保留数が多いほど平均的な変動時間は短くなり、逆に保留数が少ないほど平均的な変動時間は長くなる。このように保留数ごとにパターン抽選値範囲と変動パターンの対応関係が異なる変動パターンテーブルを用いることにより、保留数が少なくなったときに変動時間の長い変動パターンが選択されやすくなる制御を実現することができる。
【００８１】
第３欄２１６に対応付けられた「リーチなし外れ」の変動パターンは、第１欄２１２、第２欄２１４に対応付けられた「リーチなし外れ」よりも変動時間が短い、いわゆる「短縮変動」の変動パターンである。また、第４欄２１８に対応付けられた「リーチなし外れ」の変動パターンは、第１欄２１２、第２欄２１４に対応付けられた「リーチなし外れ」よりも変動時間が短く、第３欄２１６の「短縮変動」よりもさらに変動時間が短い、いわゆる「超短縮変動」の変動パターンである。
【００８２】
以下、本実施例のぱちんこ遊技機１０に特徴的な構成を説明する。本実施例では、演出決定手段１３２により選択され図柄表示装置６０に表示される変動演出パターンとして、遊技者が操作ボタン８２の操作をした場合に回転速度が変化する特殊変動演出パターンと、遊技者が操作ボタン８２の操作をした場合に回転速度が変化しない通常変動演出パターンとが含まれる。以下、演出決定手段１３２により特殊変動演出パターンが選択された場合を説明する。
【００８３】
図柄表示制御手段である演出表示制御手段１３４は、リールの回転中に操作入力装置である操作ボタン８２の操作状態が第１の状態から第２の状態へ変化した場合、その変化時のリールの回転速度と図柄の変動時間の残り時間とリールの位置との関係に応じた減速度により、リールの回転速度を漸減させる。ここで、「リールの回転速度を漸減させる」とは、操作ボタン８２が押圧された瞬間にリールの回転を停止させるいわゆる目押しとは減速の態様が異なり、操作ボタン８２の押圧の解除を契機として次第にリールの回転速度を減速させることを意味する。以下、第１の状態を操作ボタン８２が押圧されリールの回転速度が増大する状態、第２の状態を操作ボタン８２の押圧が解除されリールの回転速度が漸減する状態としてそれぞれ説明する。
【００８４】
図８は、操作ボタンの押圧状態とリールの回転速度との関係を示す図である。図８（ａ）は、有効期間と押圧操作との関係を示す図である。図８（ｂ）は、押圧操作によるリールの回転速度の変化を示すグラフである。
【００８５】
図８（ａ）に示すように、装飾図柄１９０が仮停止状態にて表示された時刻ｔ０から時刻ｔ２までが、操作ボタン８２の押圧操作の有効期間に設定されている。ここで「仮停止状態」とは、最終的な停止状態ではないが遊技者には装飾図柄１９０が停止していると視認される、装飾図柄１９０およびリールの状態をいう。この期間内の時刻ｔ１に押圧操作が開始されると、図８（ｂ）に示すように、それまで仮停止状態であった中リールが回転表示を再開する。ここでは、押圧操作は１回のみ有効とする。操作ボタン８２は、時刻ｔ１から有効期間の経過後の時刻ｔ３まで押圧されている。この間、メイン表示制御手段１１８がステッピングモータに送られる単位時間あたりのパルス数を増加させることにより、中リールの回転速度は所定の加速度にて増大し、時刻ｔ３には回転速度はｖ１となる。特殊変動演出パターンの回転速度ｖ１は、通常変動演出パターンの回転速度の最高速度よりも速い。そのため、特殊変動演出パターンが選択された場合、遊技者は自らの技術介入により通常の変動演出パターンよりも高速な変動表示が可能となることを意識することになる。
【００８６】
時刻ｔ３にて操作ボタン８２の押圧操作が解除されると、メイン表示制御手段１１８がステッピングモータに送られる単位時間あたりのパルス数を減少させることにより、リールの回転速度は漸減し、最終的に時刻ｔ４に中リールは停止する。この場合、当否抽選手段１１２による当否抽選の結果に応じて決定された図柄組合せにて装飾図柄１９０が有効ラインＬ上に停止表示される。ここでは、押圧操作の解除は１回のみ有効とする。なお、有効期間内に操作ボタン８２が押圧されない場合、有効期間の経過後に、操作ボタン８２が押圧された場合とは遊技者に異なって見える回転態様（たとえば略等速にて非常に低速で回転する態様）にて装飾図柄１９０が回転表示される。その後、操作ボタン８２を押圧操作した場合と同じ装飾図柄１９０が、有効ラインＬ上に停止表示される。また、図８では説明のために加速度が一定であるとして図示しているが、後述するステッピングモータの制御によっては、加速度は一定とならない場合がある。
【００８７】
次に、リールの回転速度の調整を詳細に説明する。メイン表示制御手段１１８は、所定の加速度でリールの回転速度を増大させればよい。この場合、リールの回転速度が所定の速度を超えれば、メイン表示制御手段１１８がステッピングモータに送られる単位時間あたりのパルス数を一定に制御することにより、加速度が０となり速度が一定になるとしてもよい。一方、メイン表示制御手段１１８は、操作ボタン８２の押圧状態が解除された時刻の（ｉ）リールの回転速度（ｖ１）、（ｉｉ）図柄の変動時間の残り時間（ｔ４−ｔ３）、（ｉｉｉ）リールの位置、つまり最終的に有効ラインＬ上に表示させる装飾図柄１９０の位置の三者の関係に応じた減速度に基づいて、ステッピングモータに送られる単位時間あたりのパルス数の減少率を制御することにより、リールの回転速度を漸減させる。メイン表示制御手段１１８は、操作ボタン８２の押圧状態が解除されたことを契機として、「操作ボタン８２が押圧された時刻からリールが停止までに回転する距離＝（リールの位置と有効ラインＬとの回転方向の最短距離）＋（リールの１周の回転距離）×ｎ（ただしｎは０以上の整数）」となるように、リールの回転停止までに必要となるパルス数およびステップ数を算出する。
【００８８】
当否抽選手段１１２による当否抽選の結果に応じて決定された図柄組合せにて装飾図柄１９０を有効ラインＬ上に停止表示させるためには、たとえば以下のようにしてリールの回転速度を漸減させればよい。
【００８９】
つまり、ステッピングモータにおいてリールの回転速度を漸減させる場合、サンプリング時間をたとえば１秒ごととする。この場合、押圧解除後に操作ボタン８２の押圧がなければ、リールの回転速度は１秒ごとに減速される。具体的には、リールが１周回転する所要時間を増加させる。たとえば、操作ボタン８２の押圧時に１周を２．０秒で回転させていた場合、操作ボタン８２の押圧操作のない状態が１秒継続するごとに、所要時間を２．４秒、２．８秒、３．２秒、３．６秒、４．０秒と増加させる。これにより、所要時間が十分に長くなり、リールの回転速度が十分に遅くなった時刻ｔ４にて、自然な態様でリールを停止させる。
【００９０】
リールの回転速度を漸減させ始めるタイミングは、操作ボタン８２の押圧を解除した時刻ｔ３（図８）を基準としてもよいが、時刻ｔ３よりも少し後の時刻ｔ３’を基準としてもよい。メイン表示制御手段１１８は、上述した（ｉ）リールの回転速度（ｖ１）、（ｉｉ）図柄の変動時間の残り時間（ｔ４−ｔ３）、（ｉｉｉ）リールの位置の三者の関係に基づいて、時刻ｔ３’を決定すればよい。これにより、当否抽選の結果に応じて決められた図柄組合せにて有効ラインＬ上に図柄を停止表示させやすくなる。この場合、時刻ｔ３から時刻ｔ３’まではリールの回転速度を一定（ｖ１）とし、その後リールの回転速度を上述のとおり漸減させればよい。
【００９１】
なお、ここでは有効期間を過ぎて操作ボタン８２が押圧されている場合（ｔ２〜ｔ３）にも、その押圧操作が有効となる場合を示したが、操作ボタン８２の操作は有効期間の間しか有効とならないとしてもよい。
【００９２】
また、ここでは（ｉｉ）図柄の変動時間の残り時間（ｔ４−ｔ３）に基づいて調整する例を示したが、リールが停止する時刻ｔ４よりも所定時間前の時刻ｔ５を基準として、リールの回転速度を調整してもよい。この場合、特殊変動演出パターンの変動中に操作ボタン８２が操作されれば、時刻ｔ５ではリールの回転速度が所定の速度となるようにし、その後は所定の回転パターンにてリールの回転速度を漸減させることが好ましい。この場合、メイン表示制御手段１１８は、図柄の変動時間の残り時間（ｔ４−ｔ３）に代えて、時刻ｔ５までの残り時間（ｔ５−ｔ３）に基づいてリールの回転速度を調整する。
【００９３】
また、ここでは遊技者の操作ボタン８２の押圧と解除が１回ずつ有効となる場合を示した。変形例としては、所定の有効期間内であれば、操作ボタン８２の押圧と解除が何度でも有効になるとしてもよい。これにより、遊技者が加速や減速の契機となる操作である操作ボタン８２の押圧と解除の回数や時間を適宜組み合わせることにより、リールの回転のしかたを変化させ、自ら停止図柄を調整しているとの印象を遊技者により強く与える遊技を提供することができる。
【００９４】
なお、リールには、数字図柄又は果物の図柄に対応する数の検出片が設けられていてもよい。この場合、これらの検出片を図示しない位置検出センサにて検出することにより、（ｉ）リールの回転速度（ｖ１）と（ｉｉｉ）リールの位置とが測定される。また、ステッピングモータに代えて加速度センサを設けてリールの加速度を測定することにより、リールの回転速度が調整されてもよい。
【００９５】
図９は、操作ボタンの押圧に伴う装飾図柄の表示態様の変化を示す図である。図９（ａ）は、装飾図柄１９０の仮停止状態を示す図である。図９（ｂ）は、操作ボタン８２を押圧した状態を示す図である。図９（ｃ）は、操作ボタン８２の押圧を継続した状態を示す図である。図９（ｄ）は、操作ボタン８２の押圧を解除した状態を示す図である。図９（ｅ）は、装飾図柄１９０が当り図柄にて停止した状態を示す図である。図９（ｆ）は、装飾図柄１９０が外れ図柄にて停止した状態を示す図である。
【００９６】
リールは回転後に仮停止し、装飾図柄１９０を仮停止状態にて表示させる（図９（ａ））。仮停止状態では、中リールの有効ラインＬ上に、遊技者に操作ボタン８２の押圧操作を促すＰＵＳＨ図柄２００が表示される。ＰＵＳＨ図柄２００が仮停止状態で表示されている有効期間（図８のｔ０〜ｔ２）に遊技者が操作ボタン８２を押した場合、中リールが回転を再開する（図９（ｂ））。遊技者が操作ボタン８２の押圧を継続した場合、その継続中（図８のｔ１〜ｔ３）は中リールの回転速度が増大する（図９（ｃ））。一方、遊技者が操作ボタン８２の押圧を解除した場合、中リールの回転速度は漸減し（図９（ｄ））、最終的に当否抽選の結果に応じて決められた図柄組合せにて有効ラインＬ上に中図柄１９３が停止表示される。当否抽選の結果が当りであった場合、装飾図柄１９０は当りを示す「７７７」にて停止表示される（図９（ｅ））。一方、当否抽選の結果が外れであった場合、図柄は「７７７」以外の組合せにて停止表示される（図９（ｆ））。
【００９７】
以上、説明した態様によれば、遊技者自らの介入により図柄表示装置のリールの回転速度を変化させて最終的に図柄を停止表示させることにより、遊技者の介入性を高めた遊技機を提供できる。その結果、遊技意欲の低下を抑制した面白みのある遊技機を提供できる。また、遊技者自らの介入により図柄表示装置のリールの回転を開始させ回転速度を増大させることにより、遊技者の介入性をさらに高めた遊技機を提供できる。
【００９８】
なお、実施例では、第１の状態を操作ボタン８２が押圧されている状態、第２の状態を操作ボタン８２の押圧が解除された状態として説明した。変形例としては、第１の状態を操作ボタン８２が解除された状態、第２の状態を操作ボタン８２が押圧された状態としてもよい。つまり、操作ボタン８２の押圧状態が解除された場合にリールの回転速度を加速し、操作ボタン８２が押圧状態となった場合にリールの回転速度を減速に切り換えてもよい。
【００９９】
また、パターン記憶手段１３０は、最終的に有効ラインＬ上に停止表示される図柄組合せを、当否抽選の結果が当りである場合、外れである場合とも、それぞれ複数ずつ保持することが好ましい。これにより、停止表示される図柄組合せを自らの操作により調整しているとの印象を、より自然な形で遊技者に与えることができる。この場合、たとえば所定の果物図柄が有効ラインＬ上に３つ並んだ場合を２Ｒ大当り、「７」の数字図柄が３つ並んだ場合を１５Ｒ大当りとしてもよい。
【０１００】
また、当否抽選の結果が当りとなる図柄組合せを複数保持することにより、確変を伴わない大当り（以下、通常大当り）とみせかけて確変を伴う大当り（以下、確変大当り）へと移行（昇格）する大当り中の演出である昇格演出を行うことが可能となる。また、昇格演出の一種であって、２Ｒの通常大当りと見せかけて１６Ｒの確変大当りへと昇格する大当り中の演出であるラウンドアップ演出を行うことも可能となる。具体的には、たとえば当否抽選の結果が実際には１６Ｒの確変大当りである場合に、有効ラインＬ上に２Ｒの通常大当りを示す果物図柄をまず停止表示させた上で、続く特別遊技中に昇格演出やラウンドアップ演出を行い実際の当否抽選の結果である１６Ｒの確変大当りを示す「７」の数字図柄を表示させる。その結果、２Ｒの通常大当りが１６Ｒの確変大当りへと昇格したように見せることが可能となる。これにより、遊技者に不利益を与えることなく、相対的に利益が小さい大当りの実行中には、相対的に利益の大きい大当りへの昇格に対する期待を遊技者に抱かせることができる。加えて、特に当否抽選の結果が遊技者にとって利益の大きい大当りである場合、変動演出パターンを昇格前の図柄組合せにて停止表示させることもできるようになるため、停止表示しうる図柄組合せ候補が多くなる。そのため、メイン表示制御手段１１８がリールの回転速度を減速する際の減速態様の自由度を高め、リールの回転速度の調整を簡易化することができる。
【０１０１】
また、本実施例では通常遊技中に当否抽選の結果を示すために特殊変動演出パターンを用いたが、特別遊技中の演出において特殊変動演出パターンを用いてもよい。たとえば上述のラウンドアップ演出を実行する際に特殊変動演出パターンを用い、遊技者の操作ボタン８２の押圧によりリールの回転速度を変化させる。これにより、自らの介入によりラウンド数の昇格の可否も調整できるとの印象を遊技者に与えることができる。
【０１０２】
また、実施例では、仮停止状態を経る場合を例に示したが、仮停止状態は設けられていなくてもよい。この場合には、ＰＵＳＨ図柄２００はリールには設けられず、リールの回転中の所定の有効期間に操作ボタン８２の押圧が開始または解除されたことに伴い、リールの回転速度を減少させればよい。
【０１０３】
また、実施例では、操作ボタン８２の押圧により中リールのみが回転を再開する例を示したが、中リールに加えて左リール、右リールの少なくとも一方も回転を再開してもよい。この場合には、メイン表示制御手段１１８は、左リール、中リール、右リールの３つのリールをそれぞれ独立して回転させてもよいし、すべて同期して回転させてもよい。すべて同期して回転させる場合、リールが仮停止状態となった場合に、メイン表示制御手段１１８は、まず３つのリールに形成された図柄の組み合わせによって１つの大きなＰＵＳＨ図柄２００を形成して表示させてもよい。このＰＵＳＨ図柄２００の表示中に操作ボタン８２が操作された場合に、メイン表示制御手段１１８は、３つのリールを同期して回転させ、最終的に図柄を停止表示させることにより、当否抽選の結果を示してもよい。３つのリールを同期した演出を行うことにより、当否抽選の結果に対する遊技者の期待感をさらに高めることができる。
【０１０４】
また、メイン表示制御手段１１８は、左リール、中リール、右リールの３つのリールをまず独立して回転させた後、低速で回転しているリールに別のリールの回転を同期させ、その後さらに残る１つのレールを同期して低速で回転させ、３つのリールを同時に停止させることにより、最終的に当否抽選の結果を表示してもよい。３つのリールを低速で同期して回転させた後に当否抽選の結果を表示することにより、当否抽選の結果に対する遊技者の期待感をさらに高めることができる。
【０１０５】
また、３つのリールのうち２つをリーチ態様にて停止表示させた後で、残り１つのリールを当否抽選の結果が当りとなる図柄組合せから微妙にずれた位置でまず仮停止させ、その後に仮停止させたリールをさらに少し動かすことにより、最終的に当否抽選の結果を表示してもよい。この場合、仮停止後のリールを回転方向に少し動かすことにより当否抽選の結果を示してもよいし、回転方向とは逆方向に少し動かすことにより当否抽選の結果を示してもよい。
【０１０６】
また、操作入力装置として、操作ボタン８２に代えて、押圧を伴わない操作手段を用いてもよい。さらに、操作入力装置として、遊技者の手による操作を伴わない、音声などによる入力装置を用いてもよい。
【０１０７】
また、リールの回転速度が漸減してリールが停止する場合、リールを１回転以上回転させてから停止させることが好ましい。いわゆる目押しとは異なる停止態様によりリールを停止させることにより、目押しとは違った形で遊技者の介入性を高めた遊技機を提供できる。
【０１０８】
また、操作ボタン８２の操作に伴いリールの回転速度を漸減させる変動パターンに加えて、操作ボタン８２を操作した瞬間に図柄が停止表示される、いわゆる目押しの変動パターンが使用されてもよい。この場合、回転速度を漸減させる変動パターンとは異なるＰＵＳＨ図柄を用いて、目押し演出であることを示してもよい。これにより、遊技者の技術により当否抽選を当りとすることができるとの印象を遊技者に与えることができる。
【０１０９】
また、特別図柄表示装置６１は設けられていなくてもよい。この場合には、図柄表示装置６０の有効ラインＬ上に停止表示された装飾図柄１９０の図柄組合せのみによって、当否抽選の結果を遊技者に報知すればよい。
【０１１０】
図１０は、ぱちんこ遊技機における基本的な動作過程を示すフローチャートである。まず、遊技球が始動口６２、一般入賞口７２、大入賞口６６などへ入球した場合の処理を実行し（Ｓ１０）、通常遊技中であれば（Ｓ１２のＹ）、当否抽選などの通常遊技の制御処理を実行し（Ｓ１４）、通常遊技中でなければ（Ｓ１２のＮ）、特別遊技の制御処理（Ｓ１６）や、小当り遊技の制御処理を実行し（Ｓ１７）、Ｓ１０の入賞処理においてセットされた賞球数により各種の入賞に応じた賞球払出を処理する（Ｓ１８）。
【０１１１】
図１１は、図１０におけるＳ１４の通常遊技制御処理を詳細に示すフローチャートである。通常遊技制御処理において、当否抽選値の保留がなされている場合であって（Ｓ３０のＹ）、図柄変動が表示中でなければ（Ｓ３２のＮ）、当否抽選手段１１２が当否判定処理を実行する（Ｓ３４）。その判定結果に応じてメイン表示制御手段１１８が変動表示を開始するとともに、変動開始コマンドを演出表示制御手段１３４へ送信し、これを受信した演出表示制御手段１３４が変動演出パターンにしたがって演出画像の変動表示を開始する（Ｓ３６）。Ｓ３０において当否抽選値が保留されていなかった場合は（Ｓ３０のＮ）、Ｓ３２からＳ３６までの処理がスキップされ、Ｓ３２において図柄変動が表示中であった場合は（Ｓ３２のＹ）、Ｓ３４およびＳ３６の処理がスキップされる。続いて、図柄変動表示がすでに開始されていれば（Ｓ３８のＹ）、図柄変動表示処理を実行し（Ｓ４０）、図柄変動表示が開始されていないときは（Ｓ３８のＮ）、Ｓ４０をスキップする。
【０１１２】
図１２は、図１１におけるＳ３４の当否判定処理を詳細に示すフローチャートである。まず、当否抽選手段１１２が当否抽選値を読み出して（Ｓ４２）、その当否抽選値に基づいて当否を判定する（Ｓ４４）。図柄決定手段１１４は、当否判定結果に基づいて特別図柄の停止図柄を決定し（Ｓ４６）、変動パターン決定手段１１５が特別図柄の変動パターンを選択する（Ｓ４８）。演出決定手段１３２は、当否判定結果および特別図柄に基づいて装飾図柄の停止図柄組合せを決定し（Ｓ５０）、特別図柄の変動パターンに応じて装飾図柄の変動演出パターンを選択する（Ｓ５２）。
【０１１３】
図１３は、図１１におけるＳ４０の図柄変動表示処理を詳細に示すフローチャートである。図柄の変動表示後に、操作ボタン８２が押圧中であり（Ｓ６０のＹ）、その押圧が有効期間内であれば（Ｓ６２のＹ）、メイン表示制御手段１１８はリールを加速させる（Ｓ６４）。操作ボタン８２の押圧が解除されておらず（Ｓ６６のＮ）、かつ図柄の変動表示開始から所定時間が経過していなければ（Ｓ６８のＮ）、フローを終了する。操作ボタン８２が押圧中でなく（Ｓ６０のＮ）まだ図柄の変動表示開始から所定時間が経過していない場合（Ｓ７６のＮ）、操作ボタン８２の押圧が有効期間でない場合（Ｓ６２のＮ）、リールの加速後に押圧が解除された場合（Ｓ６６のＹ）および図柄の変動表示開始から所定時間が経過した場合（Ｓ６８のＹ）、リールの回転速度（単位時間あたりのパルス数）が所定の速度（パルス数）未満であれば（Ｓ７０のＹ）、メイン表示制御手段１１８はリールの回転を停止させ（Ｓ７４）、当否抽選の結果に応じて決められた停止図柄に対応する装飾図柄１９０を有効ラインＬ上に停止表示させる。一方、リールの回転が所定の速度未満でなければ（Ｓ７０のＮ）、メイン表示制御手段１１８はリールの回転停止までに必要となるパルス数およびステップ数を算出した上で（Ｓ７１）、ステッピングモータを調節してリールの回転速度を減速させる（Ｓ７２）。また、操作ボタン８２が押圧されることなく図柄の変動表示開始から所定時間が経過した場合（Ｓ７６のＹ）、メイン表示制御手段１１８はリールを低速で略等速にて回転させてから（Ｓ７８）、当否抽選の結果に応じて決められた停止図柄に対応する装飾図柄１９０を有効ラインＬ上に停止表示させる（Ｓ７４）。
【０１１４】
図１４は、図１０におけるＳ１６の特別遊技制御処理を詳細に示すフローチャートである。当否抽選の結果が大当りであった場合（Ｓ９０のＹ）、すでに特別遊技が開始済みであって（Ｓ９２のＹ）、大入賞口６６が開放済でなければ（Ｓ９８のＮ）、大入賞口６６の開放処理を実行する（Ｓ１００）。このとき、設定された大当り演出の表示も開始する。大入賞口６６が開放済みであれば（Ｓ９８のＹ）、大入賞口６６の閉鎖処理を実行する（Ｓ１０２）。その結果、大入賞口６６が閉鎖状態になっていれば（Ｓ１０４のＹ）、Ｓ１０６へ移行する。閉鎖状態でなければ（Ｓ１０４のＮ）、Ｓ１０６以降の処理をスキップして本処理を一旦終了する。一方、Ｓ９２において特別遊技が開始済みでない場合は（Ｓ９２のＮ）、特別遊技を開始して（Ｓ９４）、その開始デモ演出の表示を開始し（Ｓ９６）、本処理を一旦終了する。
【０１１５】
Ｓ１０６においては、特別遊技中の演出であるデモ演出中であるか否かを判定する。なお、ここでいう「デモ演出」は、開始デモ演出および終了デモ演出を含む。デモ演出中でなければ（Ｓ１０６のＮ）、後述する終了フラグを参照して特別遊技終了条件が満たされるか否かを判定し（Ｓ１１０）、特別遊技終了条件が満たされていれば（Ｓ１１０のＹ）、その終了フラグをオフにしたうえで（Ｓ１１２）、終了デモ演出の表示を開始する（Ｓ１１４）。特別遊技終了条件が満たされていなければ（Ｓ１１０のＮ）、本処理を一旦終了する。Ｓ１０６にてデモ演出中であると判定され（Ｓ１０６のＹ）、終了デモ演出が終了した場合（Ｓ１１６のＹ）、特別遊技を終了し（Ｓ１１８）、特定遊技、すなわち確変、時短、および入球容易状態を開始する（Ｓ１２０）。終了デモ演出が終了していない場合は（Ｓ１１６のＮ）、Ｓ１１８およびＳ１２０の処理をスキップする。大当りでない場合は（Ｓ９０のＮ）、本図のＳ９２以降のフローをスキップする。
【０１１６】
図１５は、図１４におけるＳ１００の開放処理を詳細に示すフローチャートである。設定された開閉パターンに基づく大入賞口６６の開放タイミングとなったとき（Ｓ１２２のＹ）、開閉制御手段１２４は、通過フラグを一律にオフにするとともに開閉パターンの動作を設定し（Ｓ１２４）、大入賞口６６を開放させる（Ｓ１２６）。また、現在の単位遊技の繰り返し回数に対応した大当り演出、または繰り返し回数が異なる回数になることに対応した大当り演出を設定して開始する。開放タイミングでないときは（Ｓ１２２のＮ）、Ｓ１２４およびＳ１２６の処理をスキップする。
【０１１７】
図１６は、図１４におけるＳ１０２の閉鎖処理を詳細に示すフローチャートである。設定された開閉パターンに基づく大入賞口６６の閉鎖タイミングとなったとき、開閉制御手段１２４は大入賞口６６を閉鎖させる。すなわち、特別遊技中において、入球数による終了条件が満たされるか（Ｓ１３０のＹ）、入球数による終了条件が満たされなくとも（Ｓ１３０のＮ）、開放時間による終了条件が満たされれば（Ｓ１３２のＹ）、大入賞口６６を閉鎖する（Ｓ１３４）。開放時間による終了条件も満たされなければ（Ｓ１３２のＮ）、Ｓ１３４以降のフローをスキップする。
【０１１８】
なお、１５Ｒ大当りにおける入球数による終了条件は大入賞口６６への１０球以上の入球であり、開放時間による終了条件は、大入賞口６６の開放開始から開閉パターンに沿った設定時間の経過である。１５Ｒ大当りの場合は、その開放開始から３０秒の経過であり、２Ｒ大当りの場合は、その開放開始から０．５秒の経過である。ただし、０．５秒の開放は極めて短いため、１０球以上の入球はもちろん、入球そのものが困難である。その大入賞口の開放と同時に遊技球を打ち出したとしても入球困難であるため、大入賞口６６の極短開放が行われる２Ｒ大当りについては、大入賞口６６の開放前にその開放を予測して遊技球を打ち出す必要がある。一方、１５Ｒ大当りにおける入球数による終了条件は大入賞口への１０球以上の入球であり、開放時間による終了条件は、大入賞口６６の開放開始から３０秒の経過である。このとき、継続上限回数に達していれば（Ｓ１３６のＹ）、終了フラグをオンにする（Ｓ１３８）。継続上限回数に達していなければ（Ｓ１３６のＮ）、Ｓ１３８の処理をスキップする。本実施例においてこの継続上限回数は１５回である。入球数による終了条件および開放時間による終了条件のいずれも満たされていなければ（Ｓ１３０のＮ，Ｓ１３２のＮ）、Ｓ１３４以降の処理をスキップする。
【０１１９】
図１７は、図１０におけるＳ１７の小当り遊技制御処理を詳細に示すフローチャートである。当否抽選の結果が小当りであった場合（Ｓ１５０のＹ）、既に小当り遊技が開始済みであって（Ｓ１５２のＹ）、大入賞口６６が開放済でなければ（Ｓ１５８のＮ）、大入賞口６６の開放処理を実行し（Ｓ１６０）、開放済みであれば（Ｓ１５８のＹ）、大入賞口６６の閉鎖処理を実行する（Ｓ１６２）。その結果、大入賞口６６が閉鎖状態になっていれば（Ｓ１６４のＹ）、Ｓ１６６へ移行する。閉鎖状態でなければ（Ｓ１６４のＮ）、Ｓ１６６以降の処理をスキップして本処理を一旦終了する。一方、Ｓ１５２において小当り遊技が開始済みでない場合は（Ｓ１５２のＮ）、小当り遊技を開始して（Ｓ１５４）、２Ｒ大当りと同様の開始デモ演出の表示を開始し（Ｓ１５６）、本処理を一旦終了する。
【０１２０】
Ｓ１６６においては、小当り遊技中の演出であるデモ演出中であるか否かを判定する。デモ演出中でなければ（Ｓ１６６のＮ）、小当り遊技終了条件が満たされたか否かを判定する。ここでは、後述する終了フラグがオンになっていれば、小当り遊技終了条件が満たされることになる。小当り遊技終了条件が満たされていれば（Ｓ１７０のＹ）、その終了フラグをオフにしたうえで（Ｓ１７２）、終了デモ演出の表示を開始する（Ｓ１７４）。小当り遊技終了条件が満たされていなければ（Ｓ１７０のＮ）、本処理を一旦終了する。Ｓ１６６にてデモ演出中であると判定され（Ｓ１６６のＹ）、終了デモ演出が終了した場合（Ｓ１７６のＹ）、小当り遊技を終了する（Ｓ１７８）。終了デモ演出が終了していない場合は（Ｓ１７６のＮ）、Ｓ１７８の処理をスキップする。小当りでない場合は（Ｓ１５０のＮ）、本図のＳ１５２以降のフローをスキップする。
【０１２１】
図１８は、図１７におけるＳ１６０の開放処理を詳細に示すフローチャートである。設定された開閉パターンに基づく大入賞口６６の開放タイミングとなったとき（Ｓ１８０のＹ）、開閉制御手段１２４は、開閉パターンの動作を設定し（Ｓ１８２）、大入賞口６６の開放を開始する（Ｓ１８４）。開放タイミングでないときは（Ｓ１８０のＮ）、Ｓ１８２およびＳ１８４の処理をスキップする。
【０１２２】
図１９は、図１７におけるＳ１６２の閉鎖処理を詳細に示すフローチャートである。設定された開閉パターンに基づく大入賞口６６の終了タイミングとなったとき（Ｓ１９０のＹ）、終了フラグをオンにし（Ｓ１９２）、大入賞口６６を閉鎖する（Ｓ１９４）。なお、この閉鎖タイミングは、大入賞口６６の開放開始から０．５秒の経過したタイミングである。閉鎖タイミングでなければ（Ｓ１９０のＮ）、Ｓ１９２およびＳ１９４の処理をスキップする。
【０１２３】
尚、本願発明は上記実施例に限定されるものではなく、要旨を逸脱しない範囲で構成要素を変形して具体化することができる。また、上記実施例に開示されている複数の構成要素の適宜組合せにより種々の発明を形成しても良いし、上記実施例に示される全構成要素からいくつかの構成要素を削除しても良い。更に、複数の実施例にわたる構成要素を適宜組み合わせることも可能である。
【符号の説明】
【０１２４】
１０  ぱちんこ遊技機、  ５０  遊技盤、  ５２  遊技領域、  ６０  演出表示装置、  １１２  当否抽選手段、  １１４  図柄決定手段、  １１５  変動パターン決定手段、  １１６  保留制御手段、  １２０  特別遊技制御手段、  １３２  演出決定手段、  １３４  演出表示制御手段。
【図１】
2013138791.tif 000003
【図２】
2013138791.tif 000004
【図３】
2013138791.tif 000005
【図４】
2013138791.tif 000006
【図５】
2013138791.tif 000007
【図６】
2013138791.tif 000008
【図７】
2013138791.tif 000009
【図８】
2013138791.tif 000010
【図９】
2013138791.tif 000011
【図１０】
2013138791.tif 000012
【図１１】
2013138791.tif 000013
【図１２】
2013138791.tif 000014
【図１３】
2013138791.tif 000015
【図１４】
2013138791.tif 000016
【図１５】
2013138791.tif 000017
【図１６】
2013138791.tif 000018
【図１７】
2013138791.tif 000019
【図１８】
2013138791.tif 000020
【図１９】
2013138791.tif 000021